(57)【要約】【課題】釣糸放出時に、外部からの衝撃を緩衝する緩衝機構を有して、ロータの回転を制止し、ベールの支持部材の復帰を防止する釣り用スピニングリールを提供する。【解決手段】魚釣用スピニングリールは、ベールを引き起こした際に、支持部材の回動動作が連結部材及び揺動部材に伝達されて、作動部材の制止部が制止位置に移動し、リール本体上に形成されたストッパ部に制止部が当接して、ロータの回転を制止し、外部から加えられたロータの回転により生じた衝撃を長穴内を支軸部を摺動させることにより緩衝させて、支持部材を釣糸放出位置に保持する。【選択図】図２
2014124183.tif 000002
【特許請求の範囲】
【請求項１】
リール本体に回転可能に支持されるロータから延出し、釣糸をガイドするベールの端部を掛架する一対のアーム部に、回動可能に配置され、前記ベールを釣糸巻取り位置と釣糸放出位置の何れかに反転保持する支持部材と、
前記支持部材に連結されて、略筒形状を成し、周外面に形成された支軸部を前記アーム部に形成された長穴に嵌入し、前記長穴内で前記支軸部を中心とする回動及び摺動を行う揺動部材と、
一端が前記揺動部材と回動可能に連結し、他端に制止位置と退避位置の前後に摺動移動する制止部が設けられた作動部材と、を具備し、
前記ベールを釣糸放出位置に引き起こした際に、前記支持部材の回動動作により前記制止部が制止位置に移動し、前記リール本体上に形成されたストッパ部に当接して前記ロータの回転を制止し、前記ロータの回転により生じる衝撃を、前記長穴内を前記支軸部が摺動することにより緩衝させ、前記支持部材が釣糸放出位置を保持することを特徴とする魚釣用スピニングリール。
【請求項２】
リール本体に回転可能に支持されるロータから延出し、釣糸をガイドするベールの端部を掛架する一対のアーム部に、回動可能に配置され、前記ベールを釣糸巻取り位置と釣糸放出位置の何れかに反転保持する支持部材と、
前記支持部材に連結されて、有底の円筒形状を成し、周外面の略中央に形成された支軸部を前記アーム部に形成された長穴に嵌入し、前記長穴内で前記支軸部を中心とする回動及び摺動を行う揺動部材と、
前記揺動部材内の有底内に一端が固定され、前記支持部材を前記釣糸巻取り位置又は前記釣糸放出位置の何れかの位置に保持させる付勢力を発生させる弾性部材と、
ロッド形状を成し、前記支持部材に一端を連結し、他端を前記揺動部材の有底に嵌入固定され、途中に前記弾性部材の他端と連結するフランジ部が設けられた連結部材と、
一端が前記有底側の前記揺動部材と回動可能に連結し、他端に前記アーム部に形成された案内部に案内されて、制止位置と退避位置の前後に摺動移動する制止部が設けられた作動部材と、を具備し、
前記ベールを釣糸放出位置に引き起こした際に、前記支持部材の回動動作が前記連結部材及び前記揺動部材に伝達されて、前記作動部材の前記制止部が制止位置に移動し、前記リール本体上に形成された突起部からなるストッパ部に前記制止部が当接して、前記ロータの回転を制止し、外部から加えられた前記ロータの回転により生じた衝撃を、前記長穴内を前記支軸部が摺動することにより緩衝させ、前記支持部材が釣糸放出位置を保持することを特徴とする魚釣用スピニングリール。
【請求項３】
前記支持部材が釣糸巻取り位置にある時には、前記揺動部材と作動部材の連結は、屈曲形態を成し、
前記前記支持部材が釣糸放出位置にある時には、前記揺動部材と作動部材の連結は、略直線形態を成し、
前記長穴は、前記略直線形態にある前記揺動部材の長手方向に延伸するように形成されることを特徴とする請求項１又は２に記載の魚釣用スピニングリール。
【発明の詳細な説明】
【技術分野】
【０００１】
本発明は、釣糸放出時におけるベールが引き起こされた状態でロータの回転を制止する魚釣用スピニングリールに関する。
【背景技術】
【０００２】
通常、魚釣用スピニングリールは、前後移動するスプールに対して、周回するアーム部が設けられたロータが配置され、アーム部の前方に支持部材を介して、釣糸（道糸）を巻き取るためのベールが設けられている。ベールは、アーム部から支持部材ごと引き起こされた状態の釣糸放出位置と、スプールの周囲を回る釣糸巻取り位置とに移動可能に構成されている。
【０００３】
投げ竿等に取り付けられている魚釣用スピニングリールとして、例えば、特許文献１に提案されているような釣糸放出位置にある支持部材をハンドルの回転操作によりリール本体に設けられた当接部（復帰部）に当てて反転させて、ベール支持部材を元の釣糸巻取り位置に自動復帰させる反転機構を搭載する自動復帰タイプと、釣糸放出後に釣り人が自身の手で釣糸巻取り位置に戻す手動復帰タイプと、が知られている。
【０００４】
自動復帰タイプのスピニングリールは、釣竿を振りかざして仕掛け等を遠投した際に、ハンドルのアームやノブの重みで、ハンドルが回転してしまい、ベールが釣糸巻取り位置に復帰してしまう場合が想定される。このため、遠投を行う釣竿に装着されるスピニングリールは、手動復帰タイプが好ましい。
【０００５】
また、例えば、特許文献２には、ロータ側規制体をベール支持部材に係合する上方部材と、リール本体側規制部材と当接する下方部材とで構成され、さらに、バネ収容部とバネで構成される変位部を備えることで、衝撃を少なくするための緩衝を行う構成が提案されている。特許文献２による衝撃緩衝の構成と、ハンドルの逆回転防止機構と組み合わせることにより、釣糸放出時にベールが戻る等の事故を防ぎ、釣糸への過負荷等による切断や伸びを防止することが想定される。
【先行技術文献】
【特許文献】
【０００６】
【特許文献１】特開２００９−１４２２２５号公報
【特許文献２】特許第３９７６３０４号公報
【発明の概要】
【発明が解決しようとする課題】
【０００７】
前述した特許文献１に開示される作動部材は、簡易な構成であり、小型化を実現し、小型リールに対しても容易に搭載することができる。特許文献１は、自動復帰タイプであり、ベール支持部材の戻りを制止する機構はなく、手動タイプのような釣り人自身によりベールを戻し、巻取り操作を開始する動作は想定されていない。
【０００８】
特許文献１の従来構造で支持部材に対して単に付勢力を強化して、釣糸放出時にデッドポイントを超えずにロータを回転させず、ベールが戻りづらくなるように構成した場合に、例えば、釣り人が制止状態のベール支持部材を戻さないまま、無理にハンドルを回転させると、当接しているストッパ部及び屈曲部、又は揺動部材の支軸部等に対して瞬時の衝撃が加わるため、各構成部材に欠損や曲がりの不具合が生じる虞があり、駆動機構に対しても損傷を与えかねない。特に、作動部材と連結部材とが略直線状の態様であった時に衝撃が加わると、位置が固定された連結部材の支軸部に直接的に過負荷が掛かり、損傷を受けやすい。
【０００９】
また、特許文献２においては、衝撃の緩和のためにシャフトが受ける距離が短く、且つ、シャフトが２分割された構成であるため、シャフトの保持状態が不安定であり、衝撃が加わった際に、圧縮されたスプリングの反力が加わると、シャフトユニットが屈曲する虞がある。従って、新たに、ベールが引き起こされた状態にある作動部材に対して、釣り人による操作に対処する必要がある。
【００１０】
そこで本発明は、釣糸放出の際に、ベールの引き起こしと共に移動動作して、ロータの回転を制止し、且つ釣糸放出後の釣り人によるベールの復帰し忘れに対処する緩衝機構を有する釣用スピニングリールを提供することを目的とする。
【課題を解決するための手段】
【００１１】
上記目的を達成するために、本発明に従う実施形態は、  リール本体に回転可能に支持されるロータから延出し、釣糸をガイドするベールの端部を掛架する一対のアーム部に、回動可能に配置され、前記ベールを釣糸巻取り位置と釣糸放出位置の何れかに反転保持する支持部材と、前記支持部材に連結されて、略筒形状を成し、周外面に形成された支軸部を前記アーム部に形成された長穴に嵌入し、前記長穴内で前記支軸部を中心とする回動及び摺動を行う揺動部材と、一端が前記揺動部材と回動可能に連結し、他端に制止位置と退避位置の前後に摺動移動する制止部が設けられた作動部材と、を具備し、前記ベールを釣糸放出位置に引き起こした際に、前記支持部材の回動動作により前記制止部が制止位置に移動し、前記リール本体上に形成されたストッパ部に当接して前記ロータの回転を制止し、前記ロータの回転により生じる衝撃を、前記長穴内を前記支軸部が摺動することにより緩衝させ、前記支持部材が釣糸放出位置を保持する魚釣用スピニングリールを提供する。
【発明の効果】
【００１２】
本発明によれば、釣糸放出の際に、ベールの引き起こしと共に移動動作して、ロータの回転を制止し、且つ釣糸放出後の釣り人によるベールの復帰し忘れに対処する緩衝機構を有する釣用スピニングリールを提供することができる。
【図面の簡単な説明】
【００１３】
【図１】図１は、本発明の第１の実施形態に係る魚釣用スピニングリールの側面から見た一部の駆動機構を示す断面図である。
【図２】図２は、図１に示すリール側面から見たアーム部の詳細な内部構成を示す図である。
【図３】図３は、ベールの支持部材が釣糸巻取り位置にあるアーム部の内部状態を示す図である。
【図４】図４は、ベールの支持部材が釣糸放出位置にあるアーム部の内部状態を示す図である。
【図５】図５は、釣糸放出位置にある支持部材の制止部材がストッパ部材の側面と当接するロータの制止状態を示す図である。
【図６】図６は、釣糸放出位置にある支持部材の制止部材がストッパ部材に押し上げられた状態を示す図である。
【図７】図７は、第２の実施形態に係る魚釣用スピニングリールのラインローラ１２が設けられる側のベールの支持部材が釣糸巻取り位置にあるアーム部の内部状態を示す図である。
【図８】図８は、第２の実施形態に係る魚釣用スピニングリールのラインローラ１２が設けられる側のベールの支持部材が釣糸放出位置にあるアーム部の内部状態を示す図である。
【発明を実施するための形態】
【００１４】
以下、図面を参照して本発明の実施形態について詳細に説明する。  
［第１の実施形態］
図１は、本発明の第１の実施形態に係る魚釣用スピニングリールの側面から見た一部の駆動機構を示す断面図、図２は、図１に示すリール側面から見たアーム部の詳細な内部構成を示す図、図３は、ベールが釣糸巻取り位置にあるアーム部の内部状態を示す図、及び、図４は、ベールが釣糸放出位置にあるアーム部の内部状態を示す図である。尚、以下の説明において、リールの前方とは、釣竿に装着された際に釣糸が引き出されている方向とし、前方から見たリールを正面とする。
【００１５】
魚釣用スピニングリール１は、主として、釣竿に装着するための脚部２ａが一体的に形成されたリール本体２と、リール本体２前方に回転可能に配置された円筒形状の筒部を有するロータ３と、リール本体２から前方に延出するスプール軸５aに嵌装され、釣糸を巻回するスプール５と、スプール軸５aを前後移動させ、且つその前後移動に同期させてロータ３を回転させる駆動機構１５と、リール本体２側面に配置され、駆動機構１５を駆動させるためのハンドル６と、で構成される。
【００１６】
リール本体２は、例えば、アルミニウム等の金属材、樹脂材又は、マグネシウム材等によって、所定の強度と軽量化が図られて形成されている。ロータ３は、リール本体２と同様に金属材料等で円筒形状に成形される。
【００１７】
このロータ３には、筒部の後端側から径方向に対向する一対のアーム部（ロータアーム部）３ａが伸び出て、スプール５の側面と間隔を空けて前方に張り出すように形成されている。それぞれのアーム部３ａの先端には、回動可能な反転機構３０の支持部材９が設けられ、これらには、巻き取る釣糸をガイドするベール７のそれぞれの基端部が掛け渡すように固定されている。
【００１８】
支持部材９は、基部に設けられた軸支部１０をアーム部３ａの支軸部３ｃに回動可能に嵌装させて、ネジＳで螺着されている。またベール７の一方の基端には、スプール５に釣糸を巻き付ける際にスムーズに案内する釣糸案内部となるラインローラ１２を介在させて支持部材９と連結されている。
【００１９】
支持部材９は、ベール７に対して、図３に示す釣糸の巻取り状態である釣糸巻取り位置と、図４に示す仕掛けを投入する際のベール７を退避させる釣糸放出位置との間で回動移動する。通常、釣糸巻取り位置でベール７がスプール５の側面に近接して配置され、投入時には、ベール７が引き起こされて、スプール５の側面から斜め前方に反転して釣糸巻取り位置から退避する。
【００２０】
支持部材９は、少なくとも一方のアーム部内に設けられた振分け付勢バネ３５によって、釣糸巻取り位置又は釣糸放出位置の何れかの位置でベール７が保持されるように付勢されている。
【００２１】
本実施形態の駆動機構１５は、公知な構成の駆動機構を採用している。リール本体２の側面には、駆動機構１５の一部であるハンドル軸６ａが延出し、露出端（一端）には、ハンドル６が取り付けられ、他端には、ドライブギヤ１６が固着され、管形状のピニオンギヤ１７と歯合している。ピニオンギヤ１７は、ロータ３とナット１８を用いて連結されている。
【００２２】
ピニオンギヤ１７の管内には、スプール軸５ａが移動可能に挿通され、軸先端には、ドラグ機構１９を介してスプール５が装着されている。スプール軸５ａの軸後端には、摺動子２２が設けられている。摺動子２２は、ピニオンギヤ１７によって回転駆動されるオシレート機構２０の螺旋軸２１の螺旋溝２１ａに係合する。
【００２３】
さらに、リール本体２とピニオンギヤ１７との間には、一方向クラッチ２４が介在し、ハンドル６の回転操作に連動するロータ３の巻取り方向の回転を許容し、逆回転を防止する逆転防止装置を構成する。リール本体２の後側にクラッチ切換えを行う切換えレバー２５が配置されている。この切換え操作は、ハンドル６の巻取りの回転方向（正転方向）に対して、逆転方向の回転を阻止する切換え（ＯＮ／ＯＦＦ）を行う。
【００２４】
このように構成された駆動機構１５により、釣り人がハンドル６を回転操作することで、ドライブギヤ１６及びピニオンギヤ１７を介してロータ３が回転駆動され、同時にオシレート機構２０によって、スプール５が前後に往復駆動されて、釣糸がラインローラ１２を通過してスプール５の巻取り面に均等に巻回される。
【００２５】
図２及び図３を参照して、反転機構３０の構成について説明する。  
反転機構３０は、ベール７を釣糸放出位置又は釣糸巻取り位置の何れかの位置を保持し、且つ手動により反転移動させる機構である。本実施形態においては、ラインローラ１２が設けられていない側のアーム部３ａ内に反転機構３０が配置されている。  
この反転機構３０は、支持部材９と、揺動部材３１、連結部材３３、弾性部材（振分け付勢バネ）３５及び作動部材４０により構成される。
【００２６】
支持部材９は、アーム部３ａの支軸部３ｃに軸支部１０を回動可能に嵌め込み、ネジＳにより螺着される。支持部材９の軸支部１０を中心とする周囲に、２つの円弧状の長孔９ａ，９ｄが形成され、２つの輻９ｅにより軸支部１０と外周部とが連結される。長孔９ａ内には、アーム部３ａに突起部として形成された規制部３ｂが嵌め入れられており、支持部材９の回動位置を規制する。即ち、図３に示す釣糸巻取り位置では、長孔９ａの一方の規制壁９ｂが規制部３ｂに当接し、図４に示す釣糸放出位置では、長孔９ａの他方の規制壁９ｃが規制部３ｂに当接して、支持部材９の軸支部１０に対する回動範囲、即ち、ベールの回動範囲が規制される。尚、対峙して形成された長孔９ｄは、軽量化が図るために形成しており、必須ではない。
【００２７】
揺動部材３１は、例えば図３に示すように、中空部３１ｂを有する細長いシリンダ形状（円筒形状）を成し、一方が開口され、他方には底部を有（有底）し、底部にはロッド形状（棒形状）の連結部材３３が嵌着される小径の貫通孔が形成されている。揺動部材３１の周外面の中央には、例えば、円柱形状の支軸部３１ａが設けられている。この支軸部３１ａは、アーム部３ａに形成された長穴（又は長溝）４１に摺動移動可能に嵌合する。この長穴４１は、後述するキック移動に伴う揺動部材３１の移動方向に沿った方向に形成され、その長さは、後述するストッパ部２Ａの突起の高さに従う。
【００２８】
揺動部材３１の中空部３１ｂ内には、開口側から一方のバネ端が外部に延伸するように、付勢部材（振分け付勢バネ）３５が嵌入されている。さらに、底部側の外部は張り出した形状を成し、その張り出し部分には、作動部材４０が回動可能に連結するための孔３１ｃが形成され、後述する作動部材４０のクランク型屈曲する屈曲部（嵌合部）４０ｂが嵌め込まれている。振分け付勢バネ３５は、釣糸放出位置又は釣糸巻取り位置の何れかの位置を保持するための付勢力を発生するバネであり、弾性部材であれば、コイルバネに限定されるものではない。
【００２９】
連結部材３３は、揺動部材３１から延出し、その先端部３３ｂは屈曲されて、支持部材９の輻９ｅに形成された穴（又は、溝）９ｆに回動可能に嵌め込まれている。本実施形態において、先端部３３ｂは、支持部材９の内側から外側に向かい、穴９ｆに嵌め込まれている。
【００３０】
また延出した連結部材３３の中間部分にはフランジ部３３ａが設けられ、フランジ部３３ａには、振分け付勢バネ３５の端部が固定されている。支持部材９は、振分け付勢バネ３５の付勢力により、図３に示す釣糸巻取り位置と、図４に示す釣糸放出位置との間で回動された際、振分け付勢バネ３５のデッドポイントを超えて、支持部材９が両方の位置で振分け保持される構成となっている。
【００３１】
作動部材４０は、クランク型に屈曲するロッド部材であり、それぞれの端部に形成された２つの屈曲部（制止部）４０ａ及び屈曲部（嵌合部）４０ｂが互いに反対方向に折れ曲がった形状である。一端の嵌合部４０ｂは、孔３１ｃに回動可能に嵌入して、連結形状が屈曲状又は略直線状となるように揺動する。他端の制止部４０ａは、アーム部３ａの端部に形成されたスリット４５内に嵌め込まれて、スリット４５に沿って前後に摺動する。
【００３２】
このスリット４５の開口側は、リール本体２に近接配置となり、そのリール本体２上には、台形形状又はテーパーを有する突起形状のストッパ部２Ａが設けられる。ベールが引き起こされて、支持部材９が釣糸放出位置にある状態では、制止部４０ａがスリット４５内で後方位置（開口側）に位置し、ストッパ部２Ａの斜面（制止面）に当接し、ロータ３の回転が制止される位置関係を有している。即ち、ロータ３が回転し、制止部４０ａがストッパ部２Ａに当接した場合には、ロータ３の回転が制止される。また、制止部４０ａを退避させてストッパ部２Ａから離間すれば、ロータ３を回転させることができる。
【００３３】
以上のように、反転機構３０は、ベール７が設けられた支持部材９と揺動部材３１の一端とが連結部材３３により連結され、それぞれに間に振分け付勢バネ３５による付勢力が働いている。揺動部材３１は、略中央に設けられた支軸部３１ａがアーム部３ａに形成された長穴４１に嵌め込まれ、支軸部３１ａを中心として回転及び摺動移動することができる。また、揺動部材３１の他端は、作動部材４０に回動可能に連結し、作動部材４０の制止部４０ａをスリット４５内で前後に移動する。従って、支持部材９の回動動作が、揺動部材３１と連結部材３３との揺動動作として伝達され、結果、作動部材４０の制止部４０ａをスリット４５内で前後に移動させる。
【００３４】
反転機構３０の作用について詳細に説明する。  
まず、仕掛けを投入する際に、スプール５の近傍にあるベール７を釣り人は自身の手で引き起こして、スプール５の斜め上方に退避させる。この時、図３に示す釣糸巻取り位置にある支持部材９の軸支部１０が矢印ｍの方向に回動され、規制部３ｂに対して長孔９ａの規制壁９ｂから規制壁９ｃに移動して図４の釣糸放出位置で回動が停止する。この軸支部１０の回動に連動して、輻９ｅに連結された連結部材３３の先端部３３ｂも矢印ｍの方向に牽引されて、揺動部材３１を伴って軸支部１０の反対側に移動する。揺動部材３１は、この移動で支軸部３１ａを中心として回転し、端部に連結する作動部材４０の嵌合部４０ｂを矢印ｍとは、反対方向ｎに揺動する。
【００３５】
この揺動により、図３に示す揺動部材３１と作動部材４０との屈曲形状が伸びて図４に示す略直線形状に変形し、振分け付勢バネ３５が一端縮んだ後、再度伸びて付勢力を作用させている。この変形時に、作動部材４０の制止部４０ａがスリット４５に沿って前方位置（退避位置）から後方位置（制止位置）に移動する。後方位置にある制止部４０ａは、この時にハンドルを回転させたとしても、前述したようにリール本体２上に設けられたストッパ部２Ａと当接して図５の当接状態を維持する。この時、一方向クラッチ２４を用いたロータ３の逆回転防止機構を作用させることで、制止部４０ａがストッパ部２Ａに当接した状態を維持し、ロータ３の回転（正転及び逆転）が制止された状態となる。
【００３６】
この振分け付勢バネ３５は、通常のハンドル６の回転操作では、巻取り位置へ復帰反転しないように回転が制止される付勢力を有している。しかし、釣り人が誤ってベール７を戻さずに、無理にハンドル６を回転させた場合に、当接しているストッパ部及び屈曲部、又は揺動部材の支軸部等に対して、瞬時の衝撃が加わる。
【００３７】
この瞬時の衝撃は、付勢力をより持たせた振分け付勢バネ３５が縮む間もなく発生するため、緩和できず、各構成部材に欠損や曲がりの不具合が生じて場合によっては、駆動機構に対しても損傷を与えかねない。
【００３８】
そこで、本実施形態では、支軸部３１ａを長穴４１に嵌合させた構成として、支軸部３１ａを摺動可能に嵌め合わせて、前述したベールの支持部材の復帰により発生する瞬時の衝撃を緩和する。図５は、釣糸放出位置にある支持部材の制止部材がストッパ部２Ａの側面と当接するロータ３の制止状態を示す図である。図６は、釣糸放出位置にある支持部材の制止部材がストッパ部材に押し上げられた状態を示す図である。
【００３９】
図５に示すように、釣糸放出位置の状態におけるストッパ部２Ａと制止部４０ａとが当接し、且つロータ３の逆回転防止機構を作用させることで、ロータ３の正転及び逆転が制止状態となる。この状態の時に、投入時におけるハンドル回転移動や、釣り人自身による無理な誤ったハンドル回転操作が加わった際には、ストッパ部２Ａは、制止部４０ａとの当接箇所が斜面から頂部に移動して、図６に示すように、長穴４１に沿って揺動部材３１の支軸部３１ａが付勢バネ３５の付勢力に抗して前方へ移動することで、略直線状の態様で連結する作動部材４０及び連結部材３３が瞬間的に押し上げられて、退避する動作を行い、無理な衝撃が緩和される。
【００４０】
以上説明したように、本実施形態の反転機構３０をベール７の引き起こし及び復帰を手動で行うスピニングリールに搭載することで、釣竿を振りかざして仕掛け等を遠投した際、ハンドル６のアームやノブに触ってしまいハンドル７を回転させる、又は、釣り人がベール７を巻取り位置に復帰させることを失念して、そのままハンドル７を回転操作した場合であっても、支持部材９を反転させる反転機構３０の作動部材４０、揺動部材３１、付勢バネ３５及び連結部材３３による退避動作により、ベール７の支持部９が反転して、釣糸巻取り位置に復帰することがなく、釣糸放出位置を保持する。
【００４１】
よって、繰り出される釣糸を急停止させて、釣糸への過負荷等による切断や伸びを防止することができる。また、リール本体２に設けられたストッパ部２Ａに対して、制止部４０ａが退避移動することで衝撃を緩衝させて、ロータ３の回転を制止する当接状態であったとしても、反転機構３０及び駆動機構に対する損傷を防止することができる。
【００４２】
［第２の実施形態］
第２の実施形態について説明する。図７は、第２の実施形態に係る魚釣用スピニングリールのラインローラ１２が設けられる側のベールの支持部材が釣糸巻取り位置にあるアーム部の内部状態を示す図、図８は、ベールの支持部材が釣糸放出位置にあるアーム部の内部状態を示す図である。
【００４３】
スピニングリールのロータに設けられたアーム部は、少なくとも２本が設けられ、一方には、ラインローラが配置されている。前述した第１の実施形態は、ラインローラが設けられていないアーム内に反転機構を配置した構成例であったが、本実施形態は、ラインローラが設けられているアーム部内に反転機構を配置した構成例である。本実施形態の構成部材において、前述した第１の実施形態と同等の構成部材には、同じ参照符号を付して、その説明は省略する。  
本実施形態の反転機構３０は、ベール７の支持部材９がラインローラ１２と一体的に構成されている。反転機構３０の詳細な構成は、第１の実施形態と同等であり、同じ作用・効果を有している。
【符号の説明】
【００４４】
１…魚釣用スピニングリール、２…リール本体、２Ａ…ストッパ部、２ａ…脚部、３…ロータ、３ａ…アーム部、３ｂ…規制部、３ｄ…嵌合部、５…スプール、５ａ…スプール軸、６…ハンドル、６…ハンドル軸、７…ベール、９…支持部材、９ｂ，９ｃ…規制壁、９ａ，９ｄ…長孔、９ｅ…輻、１０…支持部、１２…ラインローラ、１５…駆動機構、１６…ドライブギヤ、１７…ピニオンギヤ、１８…ナット、１９…ドラグ機構、２０…オシレート機構、２１…螺旋軸、２１ａ…螺旋溝、２２…摺動子、２４…一方向クラッチ、２５…切換えレバー、３０…反転機構、３１…揺動部材、３１ａ…支軸部、３１ｂ…中空部、３３…連結部材、３５…弾性部材（振分け付勢バネ）、４０…作動部材、４０ａ…制止部、４１…長穴。
【図１】
2014124183.tif 000003
【図２】
2014124183.tif 000004
【図３】
2014124183.tif 000005
【図４】
2014124183.tif 000006
【図５】
2014124183.tif 000007
【図６】
2014124183.tif 000008
【図７】
2014124183.tif 000009
【図８】
2014124183.tif 000010